(57)【特許請求の範囲】
【請求項１】
外周側面がネジ溝の形状を有する筐体部と、前記筐体部の一端側に設けられた凹部または凸部と、前記筐体部の他端側に設けられ、ＩＣタグを内部に保有するＩＣタグ保有部とを有するＩＣタグ保有体を保持するための保持具であって、
螺旋状に巻回されるコイル部と、
前記コイル部の一端側に設けられ、前記ＩＣタグ保有体が外れるのを防止する第１保持部と、
前記コイル部の他端側に設けられ、前記第１保持部との間で挟持することによって前記ＩＣタグ保有体を前記コイル部内に保持する第２保持部と、
を有することを特徴とする保持具。
【請求項２】
請求項１に記載の保持具であって、
前記第１保持部は、
前記コイル部の一端側であって、径方向の内側に設けられることによって、前記ＩＣタグ保有体が外れるのを防止することを特徴とする保持具。
【請求項３】
請求項１または２に記載の保持具であって、
前記第２保持部は、
前記コイル部の他端側であって、径方向の内側に突出させ、かつ螺旋状から外れるように形成することによって前記ＩＣタグ保有体を前記コイル部内に保持することを特徴とする保持具。
【請求項４】
請求項１から３のいずれか１項に記載の保持具が取り付けられていると共に、その取り付けられている保持具のコイル部の内部に保持されているＩＣタグによって管理されていることを特徴とする管理対象物品。
【発明の詳細な説明】
【技術分野】
【０００１】
本発明は、保持具、この保持具により保持されるＩＣタグによって管理される管理対象物品に関する。
【背景技術】
【０００２】
近年、ＲＦＩＤ（Ｒａｄｉｏ Ｆｒｅｑｕｅｎｃｙ Ｉｄｅｎｔｉｆｉｃａｔｉｏｎ）と称されるタグ（ＩＣタグ，電子タグ，ＲＦＩＤタグ，ＲＦタグなどとも呼ばれるが、以下統一して、「ＩＣタグ」と称する。）を用いて工場の生産管理、物流の管理、入退室管理等を行うことが知られている。ＩＣタグは、タグ内に設けられたアンテナと、リーダに設けられたアンテナとの間での電磁結合、電磁誘導等を利用してデータの交信を行うため、リーダから数センチ〜数十センチ離しても通信可能である。また、ＩＣタグは、電磁波を透過する物体、たとえば人体，ガラス，プラスチック，木材，コンクリート等の非導電体がリーダとの間に入っても交信することができる点、汚れや静電気等に強い点などからも、工場の生産管理、物流の管理、入退室管理等において特に適した手段として普及している。更には、近年、ＩＣタグを金属等の導電部材を含む部材に取り付けても、金属表面に生じるうず電流を抑えて、安定してデータの交信ができるような設置構造も知られている（例えば特許文献１参照）。
【先行技術文献】
【特許文献】
【０００３】
【特許文献１】特開２００３−８５５１５号（要約書参照）
【発明の概要】
【発明が解決しようとする課題】
【０００４】
工場の生産管理や、物流の管理に用いるＩＣタグの場合、カード状、フィルム状、コイン状、スティック状など、取り付けられる部材に応じて、任意の形状に加工された小型のＩＣタグが用いられる。これらの小型のＩＣタグは、管理対象物品となる部材の表面、または内部に取り付けられ、ＩＣタグに設けられたアンテナから送信された信号に基づいて管理のための処理を行っている。
【０００５】
しかしながら、たとえば管理対象物品となる部材の表面にＩＣタグを取り付ける場合には、ＩＣタグは部材の表面に露出した状態であり、ＩＣタグを取り付けた部材を用いて作業を行う際に、ＩＣタグが外れてしまう、他の部材との接触によりＩＣタグが破壊されてしまうという可能性がある。
【０００６】
また、管理対象物品となる部材が金属部材の場合、その金属部材の構造、大きさによってはＩＣタグを取り付ける領域が確保できないという問題が生じたり、ＩＣタグを取り付けると金属部材の表面形状が変化してしまい、その後の処理に支障がでるという問題が生じたりする可能性がある。このような不具合を防止するためには、たとえば特許文献１に開示されるように、金属部材の内部にタグを埋め込む設置構造を採用する方法もあるが、このような方法であっても、ＩＣタグを埋め込むスペースを別途確保するか、金属部材の設計時に材質などを考慮する必要があるため、金属部材の材質や設置場所に制限が生じる。
【０００７】
本発明は、上述の事情に鑑みて成されたものであり、その目的は、管理対象物品となる部材に対して容易に取り付け可能であり、取り付けられた部材に対して行うデータ処理等
に影響を及ぼさない保持具、この保持具により保持されるＩＣタグによって管理される管理対象物品を提供することである。
【課題を解決するための手段】
【００１０】
また、本発明の一側面は、保持具に関するものである。すなわち、本発明の保持具は、外周側面がネジ溝の形状を有する筐体部と、筐体部の一端側に設けられた凹部または凸部と、筐体部の他端側に設けられ、ＩＣタグを内部に保有するＩＣタグ保有部とを有するＩＣタグ保有体を保持するための保持具であって、螺旋状に巻回されるコイル部と、コイル部の一端側に設けられ、ＩＣタグ保有体が外れるのを防止する第１保持部と、コイル部の他端側に設けられ、第１保持部との間で挟持することによってＩＣタグ保有体をコイル部内に保持する第２保持部とを有する。
【００１１】
また、上述の保持具の構成に加えて、第１保持部は、コイル部の一端側であって、径方向の内側に設けられることによって、ＩＣタグ保有体が外れるのを防止するものが好ましい。
【００１３】
さらに、上述の保持具の構成に加えて、第２保持部は、コイル部の他端側であって、径方向の内側に突出させ、かつ螺旋状から外れるように形成することによってＩＣタグ保有体をコイル部内に保持することが好ましい。
【００１４】
また、本発明の一側面は、ＩＣタグによって管理される管理対象物品である。すなわち本発明の管理対象物品は、上述した保持具が取り付けられていると共に、その取り付けられている保持具のコイル部の内部に保持されているＩＣタグによって管理されている。
【００１６】
本発明によると、管理対象物品となる部材に対して容易に取り付け可能であり、取り付けられた部材に対して行うデータ処理等に影響を及ぼさないＩＣタグ保有体、保持具、およびＩＣタグ保有体のＩＣタグによって管理される管理対象物品を提供できる。
【図面の簡単な説明】
【００１７】
【図１】本発明の第１の実施の形態に係るＩＣタグ保有体となるＩＣタグ保有体の斜視図である。
【図２】図１に示すＩＣタグ保有体の上面図（上段）および底面図（下段）である。
【図３】図１に示すＩＣタグ保有体の正面図（上段）および背面図（下段）である。
【図４】図１に示すＩＣタグ保有体の左側面図（上段）および右側面図（下段）である。
【図５】図１に示すＩＣタグ保有体を図２の上面図に示したＡ−Ａ線で切ったときの断面図（上段）および図１に示すＩＣタグ保有体を図２の上面図に示したＢ−Ｂ線で切ったときの断面図（下段）である。
【図６】図１に示すＩＣタグ保有体の使用状態を説明するための分解斜視図である。
【図７】本発明の第２の実施の形態に係るＩＣタグ保有体となるＩＣタグ保有体の斜視図である。
【図８】図７に示すＩＣタグ保有体の上面図（上段）および底面図（下段）である。
【図９】図７に示すＩＣタグ保有体を図８の上面図に示したＡ−Ａ線で切ったときの断面図（上段）および図７に示すＩＣタグ保有体を図８の上面図に示したＢ−Ｂ線で切ったときの断面図（下段）である。
【図１０】図７に示すＩＣタグ保有体の使用状態を説明するための斜視図である。
【図１１】本発明の第３の実施の形態に係るＩＣタグ保有体となるＩＣタグ保有体１Ｂの斜視図である。
【図１２】図１１に示すＩＣタグ保有体の上面図（上段）および底面図（下段）である。
【図１３】図１１に示すＩＣタグ保有体を図１２の上面図に示したＡ−Ａ線で切ったときの断面図（上段）および図１１に示すＩＣタグ保有体を図１２の上面図に示したＢ−Ｂ線で切ったときの断面図（下段）である。
【図１４】図１１に示すＩＣタグ保有体の使用状態を説明するための分解斜視図である。
【図１５】本発明の一実施の形態に係る保持具の斜視図である。
【図１６】図１５に示す保持具の上面図（上段）および底面図（下段）である。
【図１７】図１５に示す保持具の正面図（上段）および背面図（下段）である。
【図１８】図１５に示す保持具の左側面図（上段）および右側面図（下段）である。
【図１９】図１５に示す保持具に第１の実施の形態に係るＩＣタグ保有体を装着した状態の斜視図である。
【図２０】図１５に示す保持具の使用状態を説明するための分解斜視図である。
【図２１】図１５に示す保持具を使用して第１の実施の形態に係るＩＣタグ保有体をナットに装着した時の断面図である。
【図２２】従来からあるインサートネジの斜視図である。
【発明を実施するための形態】
【００１８】
以下、本発明のＩＣタグ保有体、保持具、およびＩＣタグ保有体のＩＣタグによって管理される管理対象物品について、図面を用いて説明する。まず、図１〜図１４を参照して本発明の第１〜第３の実施の形態に係るＩＣタグ保有体となるＩＣタグ保有体１、１Ａ、１Ｂについて説明し、その後、図１５〜図２２を参照して本発明の保持具の一実施の形態に係る保持具４０について説明する。しかしながら、本発明のＩＣタグ保有体、保持具、およびＩＣタグ保有体のＩＣタグによって管理される管理対象物品は、各図面に示した形状に限定されるものではない。また、ＩＣタグ用保有体および保持具は、管理対象物品自身もしくは管理対象物品に取り付けられる予定の部品に取り付けられるものである。ここでいう管理対象物品としては、たとえば、自動車部品、航空機部品、建設機械、鉄道車両部品、輸送用コンテナなどが挙げられる。そして、これらの生産管理、機器の保守、点検のための物品管理、履歴管理、あるいは真贋判定などに用いることができる。
【００１９】
（ＩＣタグ保有体の実施の形態）
図１は、本発明の第１の実施の形態に係るＩＣタグ保有体となるＩＣタグ保有体１の斜視図である。図２は、ＩＣタグ保有体１の上面図（上段）および底面図（下段）である。図３は、ＩＣタグ保有体１の正面図（上段）および背面図（下段）である。図４は、ＩＣタグ保有体１の左側面図（上段）および右側面図（下段）である。図５は、ＩＣタグ保有体１を図２の上面図に示したＡ−Ａ線で切ったときの断面図（上段）およびＩＣタグ保有体１を図２の上面図に示したＢ−Ｂ線で切ったときの断面図（下段）である。図６は、図１に示すＩＣタグ保有体１の使用状態を説明するための分解斜視図である。
【００２０】
ＩＣタグ保有体１は、図１，図３，図４に示すように、外周側面がネジ溝１０の形状（雄ネジ形状）を有する筐体部１１によってその本体部が形成されている。この筐体部１１は、レンチ穴１２と、ＩＣタグ保有部１３が設けられている。レンチ穴１２は、図２の上段に示すように筐体部１１の上面の略中心に設けられており、形状が小判型となっている凹部に形成され、小判型の突起を有するソケットレンチ（不図示）に対応したものとなっている。ＩＣタグ保有部１３は、図２の下段に示すように筐体部１１の底面の中央部分に設けられている。ＩＣタグ保有部１３の一部は、図５の断面図に示すように、図５での逆Ｔ字型（凸部）の断面形状のＩＣタグ格納部１４とされている。ＩＣタグ格納部１４は、小径の円柱状の空間を形成する小円形部１４ａと大径の円柱状の空間を形成する大円形部１４ｂとを有する。ＩＣタグ保有部１３では、ＩＣタグ格納部１４の中心部分の小円形部１４ａにＩＣタグ１５を配置し、更に合成樹脂部１６などをＩＣタグ格納部１４の大小の円柱状の空間内部に充填することでＩＣタグ１５を固定、保有している。すなわち、この実施の形態では、大小２つの円柱状空間部を有するＩＣタグ格納部１４と合成樹脂部１６とでＩＣタグ保有部１３が形成されている。
【００２１】
なお、このＩＣタグ１５は、ＩＣチップ（不図示）と、ＩＣチップに接続されるアンテナ（不図示）とを備えており、専用のリーダ（またはリーダ／ライタ）とデータの交信を行うことができる。ＩＣタグ１５は、物流管理や商品管理の用途の場合には電源が不要であるパッシブ型で、搬送周波数は、通信距離が長いＵＨＦ（Ultra High Frequency）帯であることが好ましいが、入退室管理などの通信距離が短くても問題がない場合であれば、ＨＦ（High Frequency）帯であってもよいし、用途の汎用性を持たせるために、これらの両機能を有するハイブリッドタイプのものであってもよい。また、ＩＣタグ１５を電源が必要なアクティブ型としてもよい。
【００２２】
ＩＣタグ保有体１は、図６に示すように、たとえば、管理対象物品に取り付けられる予定のナット３０のネジ穴３１に螺入する形で配設される。なお、この第１の実施形態では、管理対象物品そのものではなく、ナット３０をＩＣタグ保有体１の取り付け対象として例示したが、内部に雌ネジ構造を有する管理対象物品であれば、その管理対象物品にＩＣタグ保有体１をそのまま螺入することでＩＣタグ１５を管理対象物品に配設することはもちろん可能である。
【００２３】
図７は、本発明の第２の実施の形態に係るＩＣタグ保有体となるＩＣタグ保有体１Ａの斜視図である。図８は、ＩＣタグ保有体１Ａの上面図（上段）および底面図（下段）である。図９は、図７に示すＩＣタグ保有体１Ａを図８の上面図に示したＡ−Ａ線で切ったときの断面図（上段）およびＩＣタグ保有体１Ａを図８の上面図に示したＢ−Ｂ線で切ったときの断面図（下段）である。図１０は、図７に示すＩＣタグ保有体１Ａの使用状態を説明するための分解斜視図である。なお、ＩＣタグ保有体１Ａの正面図、背面図、左側面図、および右側面図は、図３及び図４を参照して説明したＩＣタグ保有体１の正面図、背面図、左側面図、および右側面図とそれぞれ同一であるため図示及び説明を省略する。
【００２４】
ＩＣタグ保有体１Ａは、図７，図８に示すように、外周側面がネジ溝１０Ａの形状（雄ネジ形状）を有する筐体部１１Ａによってその本体部が形成されている。なお、筐体部１１Ａは、第１の実施の形態で説明した筐体部１１と同様の材料により構成される。この筐体部１１Ａは、レンチ穴１２Ａと、ＩＣタグ保有部１３Ａが設けられている。レンチ穴１２Ａは、図８の上段に示すように筐体部１１Ａの上面の略中心に設けられており、形状が六角形となっている凹部に形成され、六角形状の突起を有するソケットレンチ（不図示）に対応したものとなっている。ＩＣタグ保有部１３Ａは、図８の下段に示すように筐体部１１Ａの底面の中央部分に設けられている。また、ＩＣタグ保有部１３Ａの一部は、図８，図９に示すように、円柱状の空間部分となるＩＣタグ格納部１４Ａとされている。ＩＣタグ保有部１３Ａでは、ＩＣタグ格納部１４Ａの中心部分にＩＣタグ１５Ａを配置させ、更に合成樹脂部１６ＡなどをＩＣタグ１５Ａの周囲に充填することでＩＣタグ１５Ａを覆い、ＩＣタグ格納部１４Ａの内部に固定、保有している。すなわち、この実施の形態では、ＩＣタグ格納部１４Ａと合成樹脂部１６ＡとでＩＣタグ保有部１３Ａが形成されている。なお、ＩＣタグ１５ＡはＩＣタグ１５と形状は異なるものの、その構造、機能は同様であるため、説明を省略する。
【００２５】
ＩＣタグ保有体１Ａは、図１０に示すように、たとえば、管理対象物品に取り付けられる予定のナット３０のネジ穴３１に螺入する形で配設される。なお、この第２の実施の形態では、管理対象物品そのものではなく、ナット３０をＩＣタグ保有体１Ａの取り付け対象として例示したが、内部に雌ネジ構造を有する管理対象物品であれば、その管理対象物品にＩＣタグ保有体１Ａをそのまま螺入することでＩＣタグ１５Ａを管理対象物品に配設することはもちろん可能である。
【００２６】
図１１は、本発明の第３の実施の形態に係るＩＣタグ保有体となるＩＣタグ保有体１Ｂの斜視図である。図１２は、ＩＣタグ保有体１Ｂの上面図（上段）および底面図（下段）である。図１３は、図１１に示すＩＣタグ保有体１Ｂを図１２の上面図に示したＡ−Ａ線で切ったときの断面図（上段）および図１１に示すＩＣタグ保有体１Ｂを図１２の上面図に示したＢ−Ｂ線で切ったときの断面図（下段）である。図１４は、図１１に示すＩＣタグ保有体１Ｂの使用状態を説明するための分解斜視図である。なお、ＩＣタグ保有体１Ｂの正面図、背面図、左側面図、および右側面図は、図３及び図４を参照して説明したＩＣタグ保有体１の正面図、背面図、左側面図、および右側面図とそれぞれ同一であるため図示及び説明を省略する。
【００２７】
ＩＣタグ保有体１Ｂは、図１１，図１２に示すように、外周側面がネジ溝１０Ｂの形状（雄ネジ形状）を有する筐体部１１Ｂによってその本体部が形成されている。筐体部１１Ｂは、第１の実施の形態で説明した筐体部１１と同様の材料により構成される。この筐体部１１Ｂには、レンチ穴１２Ｂと、ＩＣタグ保有部１３Ｂが設けられている。レンチ穴１２Ｂは、図１２の上段に示すように筐体部１１Ｂの上面に２つ形成されている。レンチ穴１２Ｂは、２つの円柱形状の突起を有するソケットレンチ（不図示）に対応したものとなっている。ＩＣタグ保有部１３Ｂは、図１２の下段に示すように筐体部１１Ｂの底面の中央部分に設けられている。また、ＩＣタグ保有部１３Ｂの一部は、図１２，図１３に示すように、円柱状の空間部分となるＩＣタグ格納部１４Ｂとされている。ＩＣタグ格納部１４Ｂは、小径の円柱状の空間を形成する小円形部１４Ｂａと大径の円柱状の空間を形成する大円形部１４Ｂｂとを有する。ＩＣタグ保有部１３Ｂでは、ＩＣタグ格納部１４Ｂの中心部分の小円形部１４ＢａにＩＣタグ１５Ｂを配置し、更に合成樹脂部１６ＢなどをＩＣタグ格納部１４Ｂの大小の円柱状の空間内部に充填することでＩＣタグ１５Ｂを固定、保有している。すなわち、この実施の形態では、大小２つの円柱状空間部を有するＩＣタグ格納部１４Ｂと合成樹脂部１６ＢとでＩＣタグ保有部１３Ｂが形成されている。なお、ＩＣタグ１５ＢはＩＣタグ１５と同様であるため、説明を省略する。
【００２８】
ＩＣタグ保有体１Ｂは、図１４に示すように、たとえば、管理対象物品に取り付けられる予定のナット３０のネジ穴に螺入する形で配設される。なお、この第３の実施の形態では、管理対象物品そのものではなく、ナット３０をＩＣタグ保有体１Ｂの取り付け対象として例示したが、内部に雌ネジ構造を有する管理対象物品であれば、その管理対象物品にＩＣタグ保有体１Ｂをそのまま螺入することでＩＣタグ１５Ｂを管理対象物品に配設することはもちろん可能である。
【００２９】
（保持具の実施の形態）
図１５は、本発明の一実施の形態に係る保持具４０の斜視図である。保持具４０は、ＩＣタグ保有体１,１Ａ,１Ｂをナット３０等の部材に直接取り付けられない場合や、直接取り付けると不都合が生じる場合に使用されるものである。図１６は、保持具４０の上面図（上段）および底面図（下段）である。図１７は、保持具４０の正面図（上段）および背面図（下段）である。図１８は、保持具４０の左側面図（上段）および右側面図（下段）である。図１９は、保持具４０に第１の実施の形態に係るＩＣタグ保有体１を装着した状態の斜視図である。図２０は、図１５に示す保持具４０の使用状態を説明するための分解斜視図である。図２１は、図１５に示す保持具４０を使用して第１の実施の形態に係るＩＣタグ保有体１をナット５０に装着した時の断面図である。図２２は、従来からあるインサートネジ６０の斜視図である。なお、以下では、保持具４０に装着するＩＣタグ保有体は、ＩＣタグ保有体１を例として説明するが、ＩＣタグ保有体１Ａ，１Ｂであってもよい。保持具４０を使用してＩＣタグ保有体１Ａ，１Ｂを装着する例としては、ＩＣタグ保有体１Ａ，１Ｂが、管理対象物品の内部、または管理対象物品に取り付けられる部品の内部へ落下してしまうことを防止する、または内部を移動してしまうことを防止する必要がある場合、または、管理対象物品のネジ穴、または管理対象物品に取り付けられる部品のネジ穴のサイズと、ＩＣタグ保有体１Ａ，１Ｂのサイズとが合致せず、保持具４０を用いることで取り付けが可能となる場合などである。
【００３０】
保持具４０は、図１５，図１７，図１８に示すように、螺旋状に巻回されたコイル部４１によって形成されている。そして、図１６の下段に示す底面図、図１７に示す正面図、および背面図，図１８に示す右側面図および左側面図のように、コイル部４１の一端側が内側に折り曲げられて、第１保持部４２が形成されている。また、図１６の上段に示す上面図のように、コイル部４１の他端側が内側にずれるように曲げられた第２保持部４３が形成されている。なお、この第２保持部４３のずれは、ＩＣタグ保有体１を内部に嵌め込める程度であり、かつ内部に嵌め込んだ後に容易にＩＣタグ保有体が外れない程度のずれであることが好ましい。ＩＣタグ保有体１は、図１９の斜視図および図２１の断面図に示すように、第１保持部４２と第２保持部４３によって狭持されることによって保持具４０の内部に固定されている。
【００３１】
図２０に示すように、この保持具４０を用いてＩＣタグ保有体１を取り付ける場合は、まず、ＩＣタグ保有体１を保持具４０の内部に挿入する。保持具４０の内部への挿入方法は、手で行う方法の他、専用のあるいは市販のソケットレンチ（不図示）を用いて保持具４０内に挿入することも可能である。そして、管理対象物品に取り付ける予定の部材の雌ネジ構造を有する箇所（図２０に示す例の場合にはナット５０のネジ穴）に、手、あるいは挿入工具により挿入することにより容易に取り付けを行うことができる。
【００３２】
なお、本実施形態の保持具４０は、図２２に示すような、従来、別の目的で使用されていたインサートネジ６０を改良して製造することが可能である。図２２に示す従来のインサートネジ６０は、たとえば、軽合金、ダイキャスト、鋳鉄、プラスチック、樹脂などから構成される部材に雌ネジ構造を与える目的や、磨耗、腐食、熱、振動などによって部材に構成されているネジ山が破損してしまうのを予め防止する目的や、あるいは既に破損したネジを補強する目的などに利用されるものである。なお、図２２に示す従来のインサートネジ６０では、部材の穴に挿入された後に、その穴へボルト等を挿入できるようにするため、専用の折り取り工具（不図示）によってタング６１は折り取られる。そのため、タング６１の折り取りを容易とするために、ノッチ６２という溝が予め設けられている。本実施形態における保持具４０では、このような従来のインサートネジ６０とは異なり、ノッチ６２の無いタング６１を第１保持部４２として利用している。すなわち、タグ用ソケット１，１Ａ，１Ｂの脱落防止及び固定させるため、保持具４０では、タング６１を折り取ること、およびノッチ６２を設けてはいない。しかしながら、既存のインサートネジ６０を改良して保持具４０として用いる場合には、ノッチ６２が設けられたままであっても構わない。
【００３３】
一方、保持具４０は、第２保持部４３を有している。この第２保持部４３の先端は内側に飛び出すように、かつその先端が螺旋形状から外れるように（図１８では先端が一段下のコイル部分に近づくように）されている。第２保持部４３の先端が内側に飛び出すことによってＩＣタグ保有体１を挟持できるように、螺旋形状から外すことによって保持具４０は、それ以上回転（移動）しないようにして位置を固定させている。
【００３４】
（効果）
以上の説明から、ＩＣタグ保有体１，１Ａ，１Ｂは、外周側面がネジ溝１０，１０Ａ，１０Ｂの形状を有する筐体部１１，１１Ａ，１１Ｂと、筐体部１１，１１Ａ，１１Ｂの一端側に設けられたレンチ穴１２，１２Ａ，１２Ｂ（凹部の一例）と、筐体部１１，１１Ａ，１１Ｂの他端側に設けられ、ＩＣタグ１５，１５Ａ，１５Ｂを保有するＩＣタグ保有部１３，１３Ａ，１３Ｂとを有している。そのため、管理対象物品となる部材の雌ネジ部、または管理対象物品となる部材に取り付けられる予定の部品に設けられた雌ネジ形状を有する空間（たとえば、図６、図１０、図１４のナット３０のネジ穴３１）に、ソケットレンチを用いてＩＣタグ保有体１，１Ａ，１Ｂを容易に装着できる。また、部材の雌ネジ部、または部材に取り付けられる予定の部品自体が有する雌ネジ形状を有する空間内部にＩＣタグ保有体１，１Ａ，１Ｂが装着されることになるため、ＩＣタグ１５，１５Ａ，１５Ｂを取り付けた部材を用いて作業を行う際に、ＩＣタグ１５，１５Ａ，１５Ｂが外れてしまう、他の部材との接触によりＩＣタグ１５，１５Ａ，１５Ｂが破壊されてしまう、金属部材の表面形状が変化してしまい、その後の処理に影響を及ぼしてしまうといった可能性の１つまたは複数が従来のＩＣタグ１５，１５Ａ，１５Ｂの取り付け方法よりも低減させることができる。また、雌ネジ形状を有する空間が管理対象物品に存在する場合にはＩＣタグ１５，１５Ａ，１５Ｂを埋め込むスペースや取り付けるスペースを別途設ける必要がなく、既存の空間を利用して管理することができる。
【００３５】
また、ＩＣタグ保有体１，１Ａ，１Ｂのレンチ穴（レンチ穴１２，１２Ａ，１２Ｂ）は、突端の形状が小判型であるソケットレンチ、突端の形状が六角形型であるソケットレンチ、突端の形状が四角型形であるソケットレンチ、または複数の凸部を有し、それぞれの凸部の突端が円形状であるソケットレンチのいずれかに対応した形状とされている。これにより、使用されるソケットレンチの形状に対応したＩＣタグ保有体とすることができる。
【００３６】
また、保持具４０は、上述したＩＣタグ保有体１，１Ａ，１Ｂを、螺旋状に巻回され、管理対象物品が有する雌ネジ形状部に嵌め込み可能なコイル部４１と、コイル部４１の一端側に設けられ、ＩＣタグ保有体１，１Ａ，１Ｂの脱落を防止する第１保持部４２とを有する。これにより、上述のＩＣタグ保有体１，１Ａ，１Ｂと同様に、管理対象物品、または管理対象物品に取り付けられる予定の部品が有する雌ネジ形状部分に挿入工具等を用いて容易に取り付けられる。また、ＩＣタグ保有体１，１Ａ，１Ｂが装着される部材の空間内部において保持され、部材に対する衝撃によって、あるいは部材の処理時に生じがちであるＩＣタグ保有体１，１Ａ，１Ｂが脱落してしまうという現象を防止できる。すなわち、取り付けられた部材に対して行う処理として、リーダでＩＣタグ１５，１５Ａ，１５Ｂに記録されている情報を読み取る処理を行う際に、情報が読み取れなくなる、または読み取りにくくなるといった不具合が低減される。この結果、ＩＣタグ保有体１，１Ａ，１Ｂが取り付けられた部材に対して行う処理が正しく行われる、または処理の不具合が減少することとなる。
【００３７】
また、この保持具４０では、第１保持部４２が、コイル部４１の一端側であって、径方向の内側に設けられている。これによって、ＩＣタグ保有体１，１Ａ，１Ｂが保持具４０の空間内部に保持され、部材に対する衝撃によって、あるいは部材の処理時に生じがちであるＩＣタグ保有体１，１Ａ，１Ｂが脱落してしまうという現象を防止できる。
【００３８】
また、保持具４０は、コイル部４１の他端側に設けられ、第１保持部４２との間で挟持することによってＩＣタグ保有体１，１Ａ，１Ｂを固定する第２保持部４３を有している。これによって、ＩＣタグ保有体１，１Ａ，１Ｂが保持具４０の空間内部に固定保持され、部材に対する衝撃によって、あるいは部材の処理時に生じがちであるＩＣタグ保有体１，１Ａ，１Ｂが脱落してしまうという現象を防止できる。
【００３９】
また、この第２保持部４３が、コイル部４１の他端側であって、径方向の内側に突出させ、かつ螺旋状から外れるように形成することによってＩＣタグ保有体１，１Ａ，１Ｂをコイル部４１内に保持している。これによって、コイル部４１の螺旋形状から外れる部分を設けることで保持具４０の移動を阻止している。
【００４０】
また、上述したＩＣタグ保有体１，１Ａ，１Ｂと、ＩＣタグ保有体１，１Ａ，１Ｂを取り付けるための保持具を有している管理対象物品は、ＩＣタグ１５，１５Ａ，１５Ｂをリーダで読み取ることが容易なので管理しやすい。特にＩＣタグ保有体１，１Ａ，１Ｂを取り付けるための保持具４０が保持された状態で取り付けられる管理対象物品の場合には、管理対象物品に対する衝撃によって、あるいは管理対象物品の処理時に生じがちであるＩＣタグ保有体１，１Ａ，１Ｂが脱落してしまうという現象が防止されるため、より管理がしやすいものとなる。
【００４１】
（変形例）
以上、本発明の各実施の形態について述べたが、本発明は、種々変形可能である。以下、それについて述べる。
【００４２】
上述の実施の形態に係るＩＣタグ保有体１，１Ａ，１Ｂのレンチ穴１２，１２Ａ，１２Ｂは、突端の形状が小判型であるソケットレンチ、突端の形状が六角形型であるソケットレンチ、または複数の凸部を有し、それぞれの筒部の突端が円形状であるソケットレンチのいずれかに対応した凹部として形成されている。しかしながら、レンチ穴１２，１２Ａ，１２Ｂの形状は、これらの形状に限らない。たとえば、突端の形状が四角形型、三角形型、星型、楕円型、その他の幾何学形状などであるソケットレンチであれば、レンチ穴１２，１２Ａ，１２Ｂをそれらのいずれかの形状に対応した凹部としてもよい。また、２つの凸部が左右にあるソケットレンチではなく、３つ、４つの凸部があるソケットレンチの場合には、２つのレンチ穴１２Ｂではなく、その形状に対応するように凹部を配置させたレンチ穴としてもよい。さらに、ＩＣタグ保有体１，１Ａ，１Ｂの一端に凸部（不図示）を形成し、この凸部に対応した凹部を有する専用工具または人の指で回すことで、管理対象物品の雌ネジ部または管理対象物品に取り付ける予定の部品の雌ネジ部へ螺入するようにしてもよい。
【００４３】
また、上述の実施の形態に係るＩＣタグ保有体１のＩＣタグ保有部１３およびＩＣタグ保有体１ＢのＩＣタグ保有部１３Ｂは、図５および図１３にそれぞれ示すような、２つの大小の円柱状の空間部を有するＩＣタグ格納部１４、１４Ｂを形成したが、図８、図９に示すＩＣタグ格納部１４Ａのように、１つの円柱状の空間を有する格納部となるように形成してもよい。すなわち、ＩＣタグ保有体１のＩＣタグ保有部１３およびＩＣタグ保有体１ＢのＩＣタグ保有部１３Ｂは、ＩＣタグ保有体１ＡのＩＣタグ保有部１３Ａとする構成としてもよい。なお、これとは逆にＩＣタグ保有体１ＡのＩＣタグ保有部１３Ａを、ＩＣタグ保有体１のＩＣタグ保有部１３、あるいはＩＣタグ保有体１ＢのＩＣタグ保有部１３Ｂとする構成としてもよい。
【００４４】
また、上述の実施の形態に係る保持具４０では、第１保持部４２および第２保持部４３によって、内部にＩＣタグ保有体１，１Ａ，１Ｂを保持する構成としている。しかしながら、第１保持部４２のみを設け、ＩＣタグ保有体１，１Ａ，１Ｂの下方への脱落（つまり落下）を防止する構成のみとしてもよい。すなわち、保持具４０には第２保持部４３がない構成（第２保持部４３の特徴を有さない構成）としてもよい。また、逆に第１保持部４２を無くし、第２保持部４３としたり、さらには、第１保持部４２、第２保持部４３の両方をなくした構成としてもよい。
【００４５】
また、上述の実施の形態に係る保持具４０では、第１保持部４２は、コイル部４１の一端側が内側に折れ曲げた形状として、第２保持部４３は、内径にずらした構成とそれぞれしている。しかしながら、第１保持部４２の形状を第２保持部４３と同様に、コイル部４１の一端側を内径にずらした構成としてもよい。すなわち、第１保持部４２は、ＩＣタグ保有体１，１Ａ，１Ｂが振動や衝撃などで容易には外れない範囲であれば、図示した形状としなくてもよい。
【００４６】
また、上述の保持具４０は、ＩＣタグ保有体１，１Ａ，１ＢなどのＩＣタグ保有体を保持するためのものであるが、保持具４０としては、ＩＣタグ保有体以外の部品を保持するものとして使用してもよい。
【符号の説明】
【００４７】
１，１Ａ，１Ｂ…ＩＣタグ保有体
１１，１１Ａ，１１Ｂ…筐体部
１２，１２Ａ，１２Ｂ…レンチ穴（凹部の一例）
１３，１３Ａ，１３Ｂ…ＩＣタグ保有部
１４，１４Ａ，１４Ｂ…ＩＣタグ格納部
１５，１５Ａ，１５Ｂ…ＩＣタグ
１６，１６Ａ，１６Ｂ…合成樹脂部
３０…ナット
４０…保持具
４１…コイル部
４２…第１保持部
４３…第２保持部
５０…ナット
【図１】
0005780998.tif 000002
【図２】
0005780998.tif 000003
【図３】
0005780998.tif 000004
【図４】
0005780998.tif 000005
【図５】
0005780998.tif 000006
【図６】
0005780998.tif 000007
【図７】
0005780998.tif 000008
【図８】
0005780998.tif 000009
【図９】
0005780998.tif 000010
【図１０】
0005780998.tif 000011
【図１１】
0005780998.tif 000012
【図１２】
0005780998.tif 000013
【図１３】
0005780998.tif 000014
【図１４】
0005780998.tif 000015
【図１５】
0005780998.tif 000016
【図１６】
0005780998.tif 000017
【図１７】
0005780998.tif 000018
【図１８】
0005780998.tif 000019
【図１９】
0005780998.tif 000020
【図２０】
0005780998.tif 000021
【図２１】
0005780998.tif 000022
【図２２】
0005780998.tif 000023